(57)【要約】      （修正有）【課題】丈夫で容易に開放でき、小型かつ構成要素が簡単で容易に組み立て可能な金庫の蓋を開き位置に保持するときに使用される支持アーム組立体を提供する。【解決手段】支持アーム組立体１は、金庫の基部4に接続するためのブラケット５と、ブラケット及び蓋3を接続する線形支持アーム６を有している。ブラケットは金庫の基部の内側4Aに接続され、金庫の側部に対し平行である線形スロット７が設けられている。線形支持アームは、ブラケットの線形スロットを通じて配置し得るようにされた全体として平坦な平面状の形態を有している。支持アームは、ブラケットの側面5A及び金庫の側部に対し平行にスロット内で摺動可能である。また線形支持アームの下端の曲がり部分に隣接して鋭角な端縁付きの切欠き9を有しており、該切欠きは、箱の蓋が開けられたとき、蓋がスロット内に落下することによりスロットと相互係止し得るようにされている。【選択図】図２
2004176539.tif 000002
【特許請求の範囲】
【請求項１】
蓋部分と、基部部分とを有し、該基部部分及び該蓋部分が鋳型を形成する内側及び外側殻体を有し、鋳型には絶縁材料が充填された、耐火金庫用の支持アーム組立体であって、蓋部分と基部部分との間に接続され、
上向き面と、側面とを有し、該上向き面が該面に画成された開口を有し、側面が前記部分の一方の内側殻体と固定状態に連結されたブラケットと、
線形支持アームであって、ブラケットの上向き面に対し横方向に前記開口を通じて配置し得るようにされ、前記開口内を摺動することができ、上端及び下端を有し、該線形支持アームの該端部の一方がブラケットと連結される部分と反対の部分に枢動可能に接続し得るようにされ、該線形支持アームの他端が該線形支持アームが開口から引き出されるのを防止する曲がり部分を有し、該曲がり部分に近接する鋭角な捕捉部を有し、該捕捉部が、開口と相互に係止して金庫の蓋部分を開いた状態に保持し得るようにされた、前記線形支持アームとを備える、耐火金庫用の支持アーム組立体。
【請求項２】
請求項１に記載の支持アーム組立体において、前記支持アームの端部の１方が該端部に枢動可能に接続された接続部材を有し、該接続部材が、該端部を相応する金庫の部分に枢動可能に接続し得るようにされた、支持アーム組立体。
【請求項３】
請求項１に記載の支持アーム組立体において、前記ブラケットの前記上向き側部が全体として平坦であり、前記ブラケットが、全体として「Ｌ」字形の断面を有し、前記側面が、その上端縁に近接する金庫の相応する部分の前記内側殻体の内側部に隣接し且つ接続するために配置し得るようにされた、支持アーム組立体。
【請求項４】
請求項２に記載の支持アーム組立体において、前記ブラケットの前記上向き側部が全体として平坦であり、前記ブラケットが全体として「Ｌ」字形の断面を有し、前記側面がその上端縁に近接する金庫の相応する部分の前記内側殻体の内側部に隣接し且つ接続するために配置し得るようにされた、支持アーム組立体。
【請求項５】
請求項４に記載の支持アーム組立体において、前記開口が、内側殻体の内側部に対し平行に伸びる線形スロットであり、支持アームが、該スロット内で横方向に摺動し得るようにされた全体として平坦な平面状の形態を有する、支持アーム組立体。
【請求項６】
請求項５に記載の支持アーム組立体において、前記捕捉部が、前記支持アームの下端縁の鋭角な端縁付きの切欠きである、支持アーム組立体。
【請求項７】
請求項６に記載の支持アーム組立体において、前記曲がり部分が、内側殻体の内側部から曲がって離れるようにした、支持アーム組立体。
【請求項８】
支持アーム組立体を有する頂部開放式耐火金庫において、該支持アーム組立体が、
鋳型を形成する内側及び外側殻体を有し、該鋳型が絶縁材料で充填され、内側殻体がその内部にアクセスするための頂部開口を有する基部分と、
該基部の１つの端縁に沿ってヒンジ止めされた蓋部分であって、前記基部にヒンジ式に接続することにより前記開口の上方で旋回して開き且つ閉じるように配置され、鋳型を形成する内側及び外側殻体を有し、鋳型には絶縁材料が充填される、前記蓋部分と、
上向き面と、側面とを有し、該上向き面が該面に画成された開口を有し、側面が前記部分の一方の内側殻体と固定状態に連結されたブラケットと、
線形支持アームであって、ブラケットの上向き面に対し横方向に前記開口を通じて配置し得るようにされ、前記開口内を摺動することができ、上端及び下端を有し、該線形支持アームの該端部の一方がブラケットと連結される部分と反対の部分に枢動可能に接続し得るようにされ、該線形支持アームの他端が該線形支持アームが開口から引き出されるのを防止する曲がり部分を有し、該曲がり部分に近接する鋭角な捕捉部を有し、該捕捉部が、開口と相互に係止して金庫の蓋部分を開いた状態に保持し得るようにされた、前記線形支持アームとを備える、頂部開放式耐火金庫。
【請求項９】
請求項８に記載の支持アーム組立体において、前記支持アームの端部の１方が該端部に枢動可能に接続された接続部材を有し、該接続部材が、該端部を相応する金庫の部分に枢動可能に接続し得るようにされた、支持アーム組立体。
【請求項１０】
請求項８に記載の支持アーム組立体において、前記ブラケットの前記上向き側部が全体として平坦であり、前記ブラケットが、全体として「Ｌ」字形の断面を有し、前記側面が、その上端縁に近接する金庫の相応する部分の前記内側殻体の内側部に隣接し且つ接続するために配置し得るようにされた、支持アーム組立体。
【請求項１１】
請求項９に記載の支持アーム組立体において、前記ブラケットの前記上向き側部が全体として平坦であり、前記ブラケットが、全体として「Ｌ」字形の断面を有し、前記側面が、その上端縁に近接する金庫の相応する部分の前記内側殻体の内側部に隣接し且つ接続するために配置し得るようにされた、支持アーム組立体。
【請求項１２】
請求項１１に記載の支持アーム組立体において、前記開口が内側殻体の内側部に対し平行に伸びる線形スロットであり、支持アームが該スロット内で横方向に摺動し得るようにされた全体として平坦な平面状の形態を有する、支持アーム組立体。
【請求項１３】
請求項１２に記載の支持アーム組立体において、前記捕捉部が、前記支持アームの下端縁の鋭角な端縁付きの切欠きである、支持アーム組立体。
【請求項１４】
請求項１３に記載の支持アーム組立体において、前記曲がり部分が、内側殻体の内側部から曲がって離れるようにした、支持アーム組立体。
【請求項１５】
蓋部分と、基部部分とを有し、該基部部分及び蓋部分が鋳型を形成する内側及び外側殻体を有し、鋳型には絶縁性材料が充填される、耐火金庫に支持アーム組立体を接続する方法において、
上向き面と、側面とを有し、該上向き面が該面に画成された開口を有し、側面が前記部分の一方の内側殻体と固定状態に連結されたブラケットを提供することと、
線形支持アームであって、ブラケットの上向き面に対し横方向に前記開口を通じて配置し得るようにされ、前記開口内を摺動することができ、上端及び下端を有し、該線形支持アームの該端部の一方がブラケットと連結される部分と反対の部分に枢動可能に接続し得るようにされ、該支持アームの他端が該線形支持アームが開口から引き出されるのを防止する曲がり部分を有し、該曲がり部分に近接する鋭角な捕捉部を有し、該捕捉部が、開口と相互に係止して金庫の蓋部分を開いた状態に保持し得るようにされた、前記線形支持アームを提供することと、
曲がり部分を開口を通じて摺動させることと、
ブラケットの側部分を前記部分の１方に固定し且つ支持アームの上端を反対の部分に固定することとを備える、方法。
【請求項１６】
請求項１５に記載の支持アーム組立体を金庫に接続する方法において、曲がり部分が開口を通じて摺動する前に、ブラケットが金庫の基部に固定状態に連結されるようにした、支持アーム組立体を金庫に接続する方法。
【請求項１７】
請求項１５に記載の支持アーム組立体を金庫に接続する方法において、曲がり部分が開口を通じて摺動する前に、支持アームの上端が金庫の蓋に接続されるようにした、支持アーム組立体を金庫に接続する方法。
【請求項１８】
請求項１５に記載の支持アーム組立体を接続する方法において、前記曲がり部分が金庫の内側殻体の内側部から曲がって離れるようにした、支持アーム組立体を接続する方法。
【請求項１９】
請求項１６に記載の支持アーム組立体を接続する方法において、前記曲がり部分が金庫の内側殻体の内側部から曲がって離れるようにした、支持アーム組立体を接続する方法。
【請求項２０】
請求項１７に記載の支持アーム組立体を接続する方法において、前記曲がり部分が金庫の内側殻体の内側部から曲がって離れるようにした、支持アーム組立体を接続する方法。
【発明の詳細な説明】
【技術分野】
【０００１】
本発明は、頂部開放式金庫の蓋を上方に保持するときに使用される、取り付けが容易な支持アーム組立体に関する。
【背景技術】
【０００２】
頂部開放式構造体の蓋を上方に保持するときに色々な型式の支持アーム組立体が使用されている。かかる構造体の代表的な例は、米国特許第４０６，５９５号、米国特許第１，０９６，９６４号、米国特許第１，３０３，４４１号、米国特許第１，９８６，３０７号、米国特許第２，５８７，２００号、米国特許第４，９２５，２２３号、米国特許第５，５７０，４９３号に記載されている。これらの特許は、全体として、以下により詳細に説明するように、２つのグループに分類することができる。
【０００３】
第一のグループは、全体として線形の支え部材が頂部開放式構造体の蓋に枢動可能に取り付けられ、その他端が構造体の側端縁に対し平行に伸びる線形のスロット付き要素内に係合した接続部材を介して構造体の基部に摺動可能に取り付けられた、型式のものを含む。蓋が開れられたとき、接続部材は、スロット付き要素に沿って蓋及び基部を接続するヒンジに向けて摺動する。同様に、蓋が閉じられたとき、接続部材は、スロット付き要素に沿って蓋及び基部を接続するヒンジから離れる。このように、米国特許第４０６，５９５号には、蓋に枢動可能に取り付けられ、その他端が幹部の開口の側端縁に対し平行に形成されたスロットに係合する部材を介して摺動可能に取り付けられた、幹部支持アーム又は支え材が開示されている。同様に、米国特許第１，０９６，９６４号は、蓋に枢動可能に取り付けられた支え材であって、その他端が幹部の開口の側端縁に対し平行に形成されたスロット内に係合した部材を介して摺動可能に取り付けられた支え材を有している。しかし、この特許において、スロットは、幹部の内部（特許第４０６，５９５号におけるように）ではなくて、蓋に面している。スロットは、また、支え材を直立の位置に一時的に固定することを許容する肩部も有している。米国特許第１，９８６，３０７号には、スロットを蓋に且つ、基部に取り付け、支え材が蓋ではなくて基部に枢動可能に取り付けることができるようにした１つの変形例が教示されている。この特許において、スロットに形成されたリセス部又は掛止め部は、スロット内を摺動する部材を異なる位置にて捕捉し、これにより基部と蓋とが分離する位置を異なる距離に設定することを許容する。同様の型式のものは、米国特許第２，５８７，２００号、米国特許第４，９２５，２２３号、米国特許第６，２９２，９７８号に見ることができる。
【０００４】
特許の第二のグループは、全体として線形の支持アーム又は支え部材が頂部開放式構造体の蓋に枢動可能に取り付けられ、その他端が構造体の基部の側端縁に固定されたブラケットのスロット又は開口を通って摺動する、型式のものを含む。これらの型式のものにおいて、支え材は、頂部を開け又は閉じるとき、全体として、スロット又は開口に対し横方向にあるままである。第一の型式のグループにおいて、支え材は、頂部が閉じられたとき、スロット付き要素に対し全体として平行であり、頂部が開けられたとき、多少、横方向位置まで動く。米国特許第１，３０３，４４１号、米国特許第５，５７０，４９３号は、第二のグループの型式のものの例を提供する。これらの特許において、支え部材は、頂部開放式構造体の蓋に枢動可能に取り付けられている。その他端は、基部の側端縁に固定されたブラケット型の部材のスロットを貫通し且つ該スロットに対し横方向にある。他端におけるピン／止め釘は、ブラケット型部材に形成され又は該ブラケット型部材に隣接して形成された掛止め部／溝と協働して蓋を直立位置すなわち開き位置に固定することを許容する。しかし、第二のグループに含まれる部片の数及び装置の全体的な構造は第一のグループにおけるものよりも簡単で且つより低廉ではあるが、当社が製造する重く、耐久性があり耐火性の貯蔵容器の型式と共に使用するのに適した、簡単で且つ丈夫な支持アーム組立体が依然、必要とされている。
【発明の開示】
【発明が解決しようとする課題】
【０００５】
耐火金庫とも称される、当社の耐火性貯蔵容器の本体及び蓋は、内側殻体及び外側殻体が絶縁材料を充填することのできる鋳型を形成するようにこれら殻体を互いに接続することにより製造される（絶縁材料自体は、全体として、内側殻体及び外側殻体により形成された鋳型内で凝固するコンクリート混合体である）。理解し得るように、殆どの金庫のものと同様に、本発明の金庫の蓋及び本体は、比較的重い。このため、金庫の蓋を開き位置に保持するときに使用される全ての支持アーム組立体は、丈夫で容易に解放でき且つ、小型であることが必要である。更に、組立体の構成要素は簡単に使用し且つ製造でき、組立体は容易に組み立てることができ、また、組立体は、金庫の本体及び蓋の内部に容易に固定し得ることが望ましい。これら因子の全ては、顧客の便宜性を向上させ且つ（又は）製造に必要な時間及び費用を最小にする。これらの条件は、我々が知っている先行技術の組立体の何れによっても完全に充足されない。
【課題を解決するための手段】
【０００６】
用途によって要求される使用の容易さ、小型及び安全性の必要性と適合する効率的で経済的な仕方にて上記に論じた条件を満足させるため、我々は、２つの主要部品だけて金庫の蓋と基部とを接続するための支持アーム組立体を開発した。第一に、該支持アーム組立体は金庫の基部に接続するためのブラケットを有している。第二に、該支持アーム組立体は、ブラケットと蓋とを接続する線形の支持アームを有している。
【０００７】
ブラケットは、その上端縁に近接して金庫の基部の内側部に隣接して（且つ接続される）ように配置し得るようにされた側面を有する全体として「Ｌ」字形の断面をしている。「Ｌ」字形のブラケットの他方の面は、その上向きの側部として機能し、また、該他方の面には、ブラケットが取り付けられたとき、金庫の側部に対し平行な線形スロットが設けられている。
【０００８】
線形支持アームは、ブラケットの線形スロットを通じて配置し得るようにされた全体として平坦な平面状の形態を有している。所要位置に配置されたとき、該支持アームは、ブラケットの上向きの側部に対し横方向にあり且つ、ブラケットの側面に対し平行にスロット内を摺動可能である。線形支持アームは、蓋接続部材が枢動可能に接続された上端を有している。この蓋接続部材は、線形支持アームの上端を金庫の蓋に枢動可能に接続し得るようにされている。
【０００９】
線形支持アームの下端は、曲がり部を有しており、該曲がり部は、所要位置に配置されたとき、スロットから引き出されるのを防止する（引き出しを防止するための如何なる更なるアンカー又は接続部材を必要とせずに）。この曲がり部も本発明の便宜性及び効率性にとって、別の意味にて重要である。この曲がり部は、極めて容易に且つ簡単に、しかも何ら別個の締結手段を必要とせずに、機能上恒久的に協働可能な関係にて支え材をブラケットに組み立てることを許容する。このことは、２つの方法にて行うことができる。第一に、ブラケットが金庫の側部に締結された後、曲がり部をブラケットのスロットを通じて摺動させ、次に、支え材の頂部を金庫の蓋に締結することにより行う（後者の操作が完了した後、最早、支え材をブラケットから引き出すことはできない）。第二に、ブラケットを金庫の側部に締結する前に、曲がり部をブラケットを通じて摺動させる。その後、ブラケット及び支え材の他端は、金庫におけるその適当な位置に接続することができる。
【００１０】
線形支持アームの下端は、また、線形支持アームの下端縁の曲がり部に隣接する鋭角な端縁付きの切欠きを有している。この切欠きは、箱の蓋が開いたとき、スロット中に落下することにより（重力によって）、スロットと相互係止し得るようにされている。蓋を支えるこの簡単で且つ効率的な方法は、また、線形支持アームを僅かに金庫の正面に向けて前方に動かすだけで極めて容易に下降させることを可能にする。これを行う間、切欠きは、最早、スロットと相互係止せず、蓋を閉じた位置に落下するのを許容することができる。
【発明を実施するための最良の形態】
【００１１】
本発明の支持アーム組立体（全体として矢印１で図示）は、図１に示した型式の持運び型耐火金庫（全体として矢印２で図示）と共に使用するのに理想的である。金庫２は、ヒンジ３Ａによって接続された基部４及び蓋３を有している。金庫２を開けたとき、蓋３を支持し、蓋を基部４から分離した状態に保持するため支持アーム組立体１が使用される。支持アーム組立体１は、２つの主要部品を有している。第一に、該支持アーム組立体は、金庫の基部４に接続するためのブラケット５を有している。第二に、該支持アーム組立体は、ブラケット５と蓋３とを接続する線形支持アーム６を有している。
【００１２】
図４及び図６に最も明確に図示するように、ブラケット５は、その上端縁４Ｂに近接して金庫の基部４の内側部４Ａに隣接して（且つ、接続するため）配置し得るようにされた側面５Ａを有する全体として「Ｌ」字形の断面をしている。「Ｌ」字形ブラケットの上向き側部５Ｂには、ブラケット５が取り付けられたとき、内側部４Ａに対し平行な線形スロット７の形態をした開口が設けられている。
【００１３】
線形支持アーム６は、ブラケット５の線形スロット７を通じて配置し得るようにされた全体として平坦な平面状の形態を有する。所要位置にあるとき、支持アーム６はブラケット５の上向き側部５Ｂに対し横方向にある。支持アーム６は、適正に配置されたとき、ブラケット５の側面５Ａに対し平行にスロット７内で摺動可能である。支持アーム６には、その上端６Ａにて枢動可能に接続された蓋接続部材（全体として矢印８で図示）が設けられている。蓋接続部材８は、線形支持アーム６の上端６Ａを金庫の蓋３に枢動可能に接続し得るようにされている。
【００１４】
線形支持アーム６の下端６Ｂは、内方に曲がった全体として垂直部分６Ｃを有しており、該全体として垂直部分６Ｃは、本発明の装置が金庫に組み立てられたとき、支持アーム６はスロット７から引き出されるのを防止する。部分６Ｃはまた線形支持アーム６をブラケット５に迅速に且つ容易に組み立てることも許容する。このことは、ブラケット５を金庫本体４の側部に締結した後、部分６Ｃをスロット７を通じて摺動させ、次に、接続部材８を金庫の蓋３に締結することにより行うことができる。このことはまた接続部材８を金庫の蓋３に締結する前又は締結した後の何れかにてブラケット５を金庫の側部に締結する前に部分６Ｃをブラケット５のスロット７を通じて摺動させることにより行うこともできる。その後、ブラケット及びその前に締結されていないならば、接続部材８を適正な位置に締結することができる。
【００１５】
下端６Ｂはまた、線形支持アーム６の下端側にて部分６Ｃに隣接する鋭角な端縁付き切欠き９の形態をした捕捉部も有している。切欠き９は、蓋３が開いたとき、蓋をスロット７内に落下させることにより（重力によって）スロット７と相互係止し得るようにされている。蓋３を支えるこの方法はまた、線形支持アーム６を金庫２の正面に向けて僅かに前方に動かすだけで蓋３が落下するのを許容する。これが為されたならば、切欠き９は最早、スロット７の端縁を捕捉せず且つ端縁と相互係止しない。このため、蓋３は金庫の本体４の閉じた位置に落下することが可能となる。
【００１６】
その添付図面に関する上記の説明に拘らず、本発明の精神及び範囲から逸脱せずに、多数の変更例が可能であることが明らかであろう。本発明の全体的な精神及び範囲は、特許請求の範囲を検討することにより一層良く判断できる。
【図面の簡単な説明】
【００１７】
【図１】本発明の支持アーム組立体を含む、開いた持運び型耐火金庫の多少概略側面図である。
【図２】図１に図示した本発明の支持アーム組立体のより詳細な概略側面図である。
【図３】本発明の支持アーム組立体を含む、閉じた持運び型耐火金庫の一部分の多少概略側面図である。
【図４】本発明の支持アーム組立体を含む、持運び型耐火金庫の内側隅部の斜視図である。
【図５Ａ】５Ａは、本発明の支持アームの斜視図である。
【図５Ｂ】５Ｂは、本発明の支持アームの内向き側部の等角図である。
【図５Ｃ】５Ｃは、本発明の支持アームの側端縁の図である。
【図６】本発明のブラケットの斜視図である。
【符号の説明】
【００１８】
２    金庫
３    蓋
４    基部
４Ａ  内側部
４Ｂ  上端縁
５    ブラケット
５Ａ  側面
５Ｂ  上向き側部
６    支持アーム
６Ａ  上端
６Ｂ  下端
６Ｃ  部分
７    スロット
８    蓋接続部材
９    切欠き
【図１】
2004176539.tif 000003
【図２】
2004176539.tif 000004
【図３】
2004176539.tif 000005
【図４】
2004176539.tif 000006
【図５Ａ】
2004176539.tif 000007
【図５Ｂ】
2004176539.tif 000008
【図５Ｃ】
2004176539.tif 000009
【図６】
2004176539.tif 000010
【外国語明細書】
2004176539000001.pdf